(57)【要約】【課題】  種籾容器に種籾を詰め込む作業と温湯消毒を終えた種籾を水切りのうえ種籾容器から搬出する作業の作業領域を同じ位置として、建屋内の有効利用と作業者の作業行動の効率化をはかることができる種籾の消毒装置を提供する。【解決手段】  種籾の温湯消毒装置１は、種籾を温湯に浸す温湯タンク２と、温湯に浸した種籾を冷水に浸す冷水タンク３と、種籾を収容する通水性の種籾容器４と、種籾容器４を吊持して昇降および移動させる自動搬送装置５とで構成される。冷水タンク３を挟んで一方に温湯タンク２を、かつ他方に作業領域６を配設してある。自動搬送装置５は、作業領域６で種籾容器４を吊持して一連の処理系統設備９の末端まで移動させてから、温湯タンク２による温湯浸漬処理、冷水タンク３による冷却処理および作業領域６への戻し工程の順に種籾容器４を昇降および移動させる制御機能を備えている。【選択図】        図１
2008131903.tif 000002
【特許請求の範囲】
【請求項１】
種籾を温湯に浸して病原菌を死滅ないし不活化する種籾の温湯消毒装置であって、
種籾を温湯に浸す温湯タンクと、温湯に浸した種籾を冷水に浸す冷水タンクと、種籾を収容する通水性の種籾容器と、種籾容器を吊持して昇降および移動させる自動搬送装置とで構成され、
前記冷水タンクを挟んで一方に温湯タンクを、かつ他方に作業領域を配設してあるとともに、
前記自動搬送装置は、作業領域で種籾容器を吊持して一連の処理系統設備の末端まで移動させてから、温湯タンクによる温湯浸漬処理、冷水タンクによる冷却処理および作業領域への戻し工程の順に種籾容器を昇降および移動させる制御機能を備えている
ことを特徴とする種籾の温湯消毒装置。
【請求項２】
自動搬送装置は、作業領域、冷水タンクおよび温湯タンクの順に一連の処理系統設備を跨ぐ架台に、上記一連の処理系統設備の方向に懸架した駆動チェーンにより往復動する移動台車と、移動台車に装備され種籾容器を吊持して昇降させる昇降機構とで構成されており、
移動台車は、一連の処理系統設備の作業領域から温湯タンク上に移動して種籾容器を温湯タンク内に降ろしたうえ作業領域に戻る工程、
作業領域から温湯タンク上に移動して種籾容器を吊り上げて冷水タンク上まで移動して冷水タンク内に降ろしたうえ作業領域に戻る工程、
作業領域から冷水タンク上に移動して種籾容器を吊り上げて作業領域に戻る工程
を繰り返す制御機能を備えていることを特徴とする請求項１記載の種籾の温湯消毒装置。
【請求項３】
移動台車に装備された昇降機構は、移動台車に固定して垂下させた基筒部とそれに対して伸縮自在に嵌装した伸縮筒部とで構成されており、
前記伸縮筒部の下端には種籾容器の吊り掛けフックを取り付けてあって前記伸縮筒部および基筒内を通した吊りチェーンによる吊り構造とするとともに吊りチェーンはその引き上げ引き下ろし駆動機構を介してリング状に垂れ下がるように末端を移動台車に係止してある
ことを特徴とする請求項１または２記載の種籾の温湯消毒装置。
【請求項４】
吊り掛けフックは移動台車の往路方向に開口しており、種籾容器の吊り掛けアームを一定の掛け位置に誘導する溝を形成してあることを特徴とする請求項３記載の種籾の温湯消毒装置。
【請求項５】
温湯タンクと作業領域に間に位置する冷水タンク上の位置には、移動台車の往路方向の定位置および復路方向の定位置を検知するセンサを設けてあることを特徴とする請求項２、３または４記載の種籾の温湯消毒装置。
【発明の詳細な説明】
【技術分野】
【０００１】
本発明は、種籾を温湯に浸して種籾の表面に付着しまたは籾殻と果皮との間に潜む病原菌（いもち病、ばか苗病、苗立枯細菌病、ごま葉枯病、褐条病、もみ枯細菌病など）を死滅ないしは不活化する種籾の温湯消毒装置に関するものである。
【背景技術】
【０００２】
種籾を所定温度の温湯に所定時間浸すことにより、種籾の表面に付着または籾殻と果皮との間に潜む病原菌を死滅ないしは不活化（以下、消毒という）する装置であって、温湯浸漬のための種籾容器に種籾を詰め込む工程、種籾を種籾容器ごと温湯に浸漬する工程、温湯漬漬した種籾を種籾容器ごと冷水に浸漬して冷却する工程、冷却した種籾を水切りして種籾容器から取り出す工程を一連処理する種籾の温湯消毒装置としては、特開２００６−４２７４５公報、特開２００６−１５８３０２公報、特開２００５−５２０２３公報および特開２００５−３２８７２３公報に記載されているものなどが知られている。
【０００３】
また、種籾を収容した種籾容器を自走クレーンで吊り下げて温湯タンクに出し入れする種籾の温湯消毒装置は、特開平１１−３１８１１８号公報または特願２００２−３２５５０５公報、特開２００３−２３５３０８公報、特開２００４−９０公報および特開２００４−２９００１１公報に記載されている。
【特許文献１】特開２００６−４２７４５公報
【特許文献２】特開２００６−１５８３０２公報
【特許文献３】特開２００５−５２０２３公報
【特許文献４】特開２００５−３２８７２３公報
【特許文献５】特開平１１−３１８１１８号公報
【特許文献６】特願２００２−３２５５０５公報
【特許文献７】特開２００３−２３５３０８公報
【特許文献８】特開２００４−９０公報
【特許文献９】特開２００４−２９００１１公報
【発明の開示】
【発明が解決しようとする課題】
【０００４】
前掲の特許文献１ないし４、または特許文献５ないし９に記載されている従来の種籾の温湯消毒装置においては、種籾を種籾容器に詰め込む作業を行う作業領域と、温湯消毒処理を終えた水切りのうえ種籾容器から取り出す作業を行う作業領域が互いに反対側となるように離れているので、種籾の温湯装置を設置する建屋内の配置上、２箇所にわたる作業領域と作業者がそこへ出入りするための通路やスペースなどを必要として、種籾の温湯消毒装置を設備する建屋の有効利用がはかれず、また作業領域が離れているところから、作業者の作業行動も非効率となるなどの問題点が指摘されている。
【０００５】
そこで本発明は、このような従来の問題点を解消しようとするものであって、冷水タンクを挟んで一方に作業領域を、かつ他方に温湯タンクを並設し、作業領域で種籾容器を吊持して一連の処理系統設備の末端まで移動させてから、温湯タンクによる温湯浸漬処理、冷水タンクによる冷却処理および作業領域への戻し工程の順に種籾容器を昇降および移動させる制御機能を備えて作業領域、温湯タンクおよび冷水タンクの順に一連の処理系統設備を構成することにより、種籾容器に種籾を詰め込む作業と温湯消毒を終えた種籾を水切りのうえ種籾容器から搬出する作業の作業領域を同じ位置として、種籾の温湯消毒装置を設置する建屋の有効利用をはかるとともに、作業者の作業行動の効率化をはかることができる種籾の消毒装置を提供することを目的とするものである。
【課題を解決するための手段】
【０００６】
上記目的を達成するため、本発明は請求項１ないし５の種籾の温湯消毒装置を提供する。すなわち、請求項１に係る種籾の温湯消毒装置は、種籾を温湯に浸して病原菌を死滅ないし不活化する種籾の温湯消毒装置であって、種籾を温湯に浸す温湯タンクと、温湯に浸した種籾を冷水に浸す冷水タンクと、種籾を収容する通水性の種籾容器と、種籾容器を吊持して昇降および移動させる自動搬送装置とで構成され、前記冷水タンクを挟んで一方に温湯タンクを、かつ他方に作業領域を配設してあるとともに、前記自動搬送装置は、作業領域で種籾容器を吊持して一連の処理系統設備の末端まで移動させてから、温湯タンクによる温湯浸漬処理、冷水タンクによる冷却処理および作業領域への戻し工程の順に種籾容器を昇降および移動させる制御機能を備えていることを特徴とするものである。
【０００７】
請求項２に係る種籾の温湯消毒装置は、請求項１の構成において、自動搬送装置は、作業領域、冷水タンクおよび温湯タンクの順に一連の処理系統設備を跨ぐ架台に、上記一連の処理系統設備の方向に懸架した駆動チェーンにより往復動する移動台車と、移動台車に装備され種籾容器を吊持して昇降させる昇降機構とで構成されており、移動台車は、一連の処理系統設備の作業領域から温湯タンク上に移動して種籾容器を温湯タンク内に降ろしたうえ作業領域に戻る工程、作業領域から温湯タンク上に移動して種籾容器を吊り上げて冷水タンク上まで移動して冷水タンク内に降ろしたうえ作業領域に戻る工程、作業領域から冷水タンク上に移動して種籾容器を吊り上げて作業領域に戻る工程を繰り返す制御機能を備えていることを特徴とするものである。
【０００８】
請求項３に係る種籾の温湯消毒装置は、請求項１または２の構成において、移動台車に装備された昇降機構は、移動台車に固定して垂下させた基筒部とそれに対して伸縮自在に嵌装した伸縮筒部とで構成されており、前記伸縮筒部の下端には種籾容器の吊り掛けフックを取り付けてあって前記伸縮筒部および基筒内を通した吊りチェーンによる吊り構造とするとともに吊りチェーンはその引き上げ引き下ろし駆動機構を介してリング状に垂れ下がるように末端を移動台車に係止してあることを特徴とするものである。
【０００９】
請求項４に係る種籾の温湯消毒装置は、請求項３の構成において、吊り掛けフックは移動台車の往路方向に開口しており、種籾容器の吊り掛けアームを一定の掛け位置に誘導する溝を形成してあることを特徴とするものである。
【００１０】
請求項５に係る種籾の温湯消毒装置は、請求項１、２、３または４の構成において、温湯タンクと作業領域に間に位置する冷水タンク上の位置には、移動台車の往路方向の定位置および復路方向の定位置を検知するセンサを設けてあることを特徴とするものである。
【発明の効果】
【００１１】
本発明によれば、冷水タンクを挟んで一方に作業領域を、かつ他方に温湯タンクを並設し、作業領域で種籾容器を吊持して一連の処理系統設備の末端まで移動させてから、温湯タンクによる温湯浸漬処理、冷水タンクによる冷却処理および作業領域への戻し工程の順に種籾容器を昇降および移動させる制御機能を備えて作業領域、温湯タンクおよび冷水タンクの順に一連の処理系統設備を構成することにより、種籾容器に種籾を詰め込む作業と温湯消毒を終えた種籾を水切りのうえ種籾容器から搬出する作業の作業領域を同じ位置として、種籾の温湯装置を設置する建屋の有効利用をはかるとともに、作業者の作業行動の効率化をはかることができる種籾の消毒装置が得られる。
【発明を実施するための最良の形態】
【００１２】
図１は本発明の実施の形態に係る種籾の温湯消毒装置を一部破断して示す斜視図、図２は同上昇降機構の内部構造を表した一部破断して示す斜視図、図３は同上正面図、図４は同上平面図、図５は同上側面図である。
【００１３】
本発明に係る種籾の温湯消毒装置１は、種籾を温湯に浸す温湯タンク２と、温湯に浸した種籾を冷水に浸す冷水タンク３と、種籾を収容する通水性の種籾容器４と、種籾容器４を吊持して昇降および移動させる自動搬送装置５とで構成されている。
【００１４】
前記温湯タンク２、冷水タンク３は、冷水タンク３を挟んで一方に温湯タンク２を、かつ他方に作業領域６を構成する水切り部７を備えた作業台８を並べて一連に配設してある。自動搬送装置５は、作業領域６、冷水タンク３および温湯タンク２の順に並ぶ一連の処理系統設備９を跨ぐ架台１０上に、前記一連の処理系統設備８の方向に懸架した駆動チェーン１１により往復動する移動台車１２と、移動台車１２に装備された種籾容器を吊持して昇降させる昇降機構１３とで構成されている。駆動チェーン１１は、温湯タンク２側端部に設けられた駆動モータ１４と、作業領域６側端部に位置するスプロケット１５間に懸架されており、駆動チェーン１１の懸架上側の一端と他端は移動台車１２の前後に連結されていて、駆動チェーン１１の回転により移動台車１２がその車輪１６がレール１７上を転動して往方向または復方向に移動するようになっている。
【００１５】
前記自動搬送装置５は、作業領域６で種籾容器４を吊持して一連の処理系統設備の末端まで移動させてから、温湯タンク２による温湯浸漬処理、冷水タンク３による冷却処理および作業領域６への戻し工程の順に種籾容器を昇降および移動させる制御機能を備えており、架台１０上の温湯タンク２、冷水タンク３および作業領域６に対応する位置にそれぞれ位置センサ１８、１９、２０が設けられていて、前記位置センサ１８、１９、２０による移動台車１２の位置感知動作により、移動台車１２をそれぞれの定位置に自動的に停止させる制御機構を構成している。位置センサ１９および２０は、移動台車１２の往方向と復方向移動時のストロークに生じるずれを感知するため２つのセンサ（スイッチ）を少し位置をずらして設けてある。
【００１６】
前記移動台車１２には前述のように昇降機構１３が装備されている。すなわち、この昇降機構１３は移動台車１２に固定して垂下させた基筒部２１と、それに対してローラを介在して伸縮自在に嵌装した伸縮筒部２２、２３とで構成されており、伸縮筒部２３の下端には種籾容器４の吊り掛けフック２４を取り付けてあって、前記伸縮筒部２３、２２および基筒２１内を通した吊りチェーン２５による吊り構造とするとともに、吊りチェーン２５はその引き上げ引き下ろし駆動機構２６を介してリング状に垂れ下がるように末端を移動台車１２に係止してある。前記引き上げ引き下ろし駆動機構２６は、移動台車１２に搭載された駆動モータ２７により駆動されるスプロケット２８とチェーン外れ防止押さえ部材２９とで構成されており、吊りチェーン２５はスプロケット２８に掛け回されて下方に垂れ下げられている。昇降機構１３を基筒２１に対して伸縮筒部２２、２３を伸縮自在の嵌合構成としたことにより、吊り掛けフック２４に吊り下げられる種籾容器４の移動時の横ぶれが生じないので、特に温湯タンク２および冷水タンク３に種籾容器４を確実に定位置に降ろすことができる。
【００１７】
昇降機構１３の伸縮筒部２３の下端に取り付けられている吊り掛けフック２４は、移動台車１２の往路方向に開口する開口部３０が形成されているとともに種籾容器４の吊り掛けアーム３２を一定の掛け位置に誘導する溝３１が形成されているものである。したがって、吊り掛けアーム３２にその開口部３０から掛けられた種籾容器４はその掛けアーム３２が溝３２に案内されて定位置に吊り下がるとともに不用意な外れが防止される。
【００１８】
本発明に係る種籾の温湯消毒装置１により種籾の温湯消毒を行うにあたっては、温湯タンク２に張った水または温湯を所定温度を保つように温湯温度を制御する。消毒する種籾は網袋に詰めるかまたは直に作業領域６の作業台７上種籾容器４に入れ、昇降機構１３の吊り掛けフック２４を種籾容器４の吊り掛けアーム３２に合わせて下げ、移動台車１２の往方向の移動により掛けたうえ上昇により吊り下げる。そして、移動台車１２を、一連の処理系統設備９の作業領域６から温湯タンク２上に移動して種籾容器１２を温湯タンク２内に降ろしたうえ、移動台車１２を作業領域６に戻しておく。温湯タンク２による温湯浸漬処理時間が経過したならば、作業領域６に戻されている移動台車１２を作業領域６から温湯タンク２上に移動して種籾容器４を吊り上げて冷水タンク４上まで移動し、種籾容器４を冷水タンク３内に降ろし、移動台車１２を再び作業領域６に戻しておく。冷水タンク３による冷却時間が経過したならば、作業領域６に戻されている移動台車１２を作業領域６から冷水タンク３上に移動して種籾容器４を吊り上げて作業領域６に移動させ、作業領域６で作業台８の水切り部７で水切りをして種籾を種籾容器４から搬出する。種籾の温湯消毒はこの作業工程を繰り返すことにより連続して行われる。なお、種籾の温湯浸漬の温度は６０℃、温湯浸漬時間は１０分間、冷却のための冷水温度は常温で浸漬時間は５分間程度である。
【００１９】
本発明に係る種籾の温湯消毒装置１によれば、冷水タンク３を挟んで一方に作業領域６を、かつ他方に温湯タンク２を並設し、作業領域６で種籾容器４を吊持して一連の処理系統設備９の末端まで移動させてから、温湯タンク２による温湯浸漬処理、冷水タンク３による冷却処理および作業領域６への戻し工程の順に種籾容器４を昇降および移動させる制御機能を備えていて、作業領域６、温湯タンク２および冷水タンク３の順に一連の処理系統設備９を構成しているので、種籾容器４に種籾を詰め込む作業と温湯消毒を終えた種籾を水切りのうえ種籾容器４から搬出する作業の作業領域を同じ位置とすることができる。このため、種籾の温湯消毒装置１を設置する建屋の有効利用をはかるとともに、作業者の作業行動の効率化をはかることができる。
【図面の簡単な説明】
【００２０】
【図１】本発明の実施の形態に係る種籾の温湯消毒装置を一部破断して示す斜視図である。
【図２】同上昇降機構の内部構造を表した一部破断して示す斜視図である。
【図３】同上正面図である。
【図４】同上平面図である。
【図５】同上側面図である。
【符号の説明】
【００２１】
１  種籾の温湯消毒装置
２  温湯タンク
３  冷水タンク
４  種籾容器
５  自動搬送装置
６  作業領域
７  水切り部
８  作業台
９  一連の処理系統設備
１０  架台
１１  駆動チェーン
１２  移動台車
１３  昇降機構
１４  駆動モータ
１５  スプロケット
１６  車輪
１７  レール
１８、１９、２０  位置センサ
２１  基筒部
２２、２３  伸縮筒部
２４  吊り掛けフック
２５  吊りチェーン
２６  引き上げ引き下ろし駆動機構
２７  駆動モータ
２８  スプロケット
２９  チェーン外れ防止押さえ部材
３０  開口部
３１  溝
３２  吊り掛けアーム
【図１】
2008131903.tif 000003
【図２】
2008131903.tif 000004
【図３】
2008131903.tif 000005
【図４】
2008131903.tif 000006
【図５】
2008131903.tif 000007